(57)【要約】本発明は、画像と制御データを表わす放送されたＴＶ信号を受信して復号するＴＶ受信機２２０に関する。制御データは、前記画像内の重要な対象の区切りの位置を示すベクトルを定義する。また、本発明は、画像表示装置２００、ＴＶ受信機を有するＴＶシステム、および、ＴＶ受信機を動作させる方法に関する。本発明の目的は、スクリーンのサイズが、放送されたオリジナル画像内の少なくとも重要な対象の区切りよりも小さい場合であっても、この区切りが、詳細の最小限の損失でスクリーン上に全体的に表わされるように、知られているＴＶ受信機、画像表示装置ＴＶシステム、および、画像を表示する方法を改善することである。この目的は、再サンプリングされた画像における重要な対象の区切りのサイズが、基準に従って適合させられるように、制御データが、重要な対象を示す区切りのサイズを定義し、および、ＴＶ受信機が、受信側で定義される変動可能な再サンプリング率で，復号された画像を再サンプリングすることによって、復号された画像から表示装置２００のスクリーン上で表示される再サンプリング画像を抽出するように構成される。
2004531968.tif 000002
【特許請求の範囲】
【請求項１】
画像および制御データを表す信号を受信して復号する復号部であり、当該制御データは、前記画像内の重要な対象の区切りの位置を示すベクトルを定義するところの復号部を有する受信機において、
制御データは、前記重要な対象の区切りのサイズを定義し、
再サンプリングされた画像における重要な対象の区切りのサイズが基準に従って適合させられるように、受信側で決定される変動可能な再サンプリング率で、前記復号された画像を再サンプリングすることによって、前記復号された画像から表示装置のスクリーンに表示される当該再サンプリングされた画像を抽出する再サンプリング部を有することを特徴とする受信機。
【請求項２】
前記スクリーンの所定のサイズが十分に大きい場合には、前記重要な対象の全体的な区切りが、前記受信され復号された画像におけるオリジナルサイズで、前記表示装置の前記所定のサイズのスクリーンに表示されるように、前記基準に従って前記変動可能な再サンプリング率が決定されることを特徴とする請求項１に記載の受信機。
【請求項３】
前記スクリーンの所定のサイズが、前記重要な対象の区切りのオリジナルサイズよりも小さい場合に、前記区切りのサイズが、適切な再サンプリング率で、前記復号された画像を再サンプリングすることによって前記スクリーン上に全体的に表示されるのに必要なサイズ以下になるように、前記基準に従って前記変動可能な再サンプリング率が決定されることを特徴とする請求項１に記載の受信機。
【請求項４】
前記変動可能な再サンプリング率が、前記スクリーンを視るときのユーザーの個々の視る角度、および／または、ユーザーの個々の視力に適合するように、前記再サンプリングされた画像を視ているユーザーによって、前記基準に従って前記再サンプリング率が操作されることを特徴とする請求項１に記載の受信機。
【請求項５】
前記復号部と前記再サンプリング部との間に接続された廃棄部であり、前記重要な対象の前記区切りが、前記受信された画像における場合と同様な位置で残りの画像内に位置するように、前記制御データに応答して前記受信され復号された画像の部分を廃棄する廃棄部をさらに有することを特徴とする請求項１に記載の受信機。
【請求項６】
請求項１に記載された前記受信機を有し、放送されたＴＶ信号を受信して処理するのに適したＴＶ受信機。
【請求項７】
表示装置と請求項６に記載された前記ＴＶ受信機とを有する画像表示装置。
【請求項８】
画像および制御データを表わすＴＶ信号を少なくとも１つの画像表示装置へ放送する放送部を含むＴＶシステムであって、前記制御データは、前記画像内の重要な対象の区切りの位置を示すベクトルを定義し、
前記画像表示装置は：
前記ＴＶ信号を受信して復号する復号部を含むＴＶ受信機；および
前記ＴＶ受信機に接続されスクリーンを持つ表示装置；
を有し、
前記ＴＶ受信機は、再サンプリングされた画像における前記重要な対象の前記区切りのサイズが、個々の基準に従って前記表示装置の前記スクリーンの所定のサイズに適合させられるように、受信側で決定される変動可能な再サンプリング率で、前記復号された画像を再サンプリングすることによって、前記復号された画像から前記スクリーン上で表示される当該再サンプリングされた画像を抽出する再サンプリング部をさらに有することを特徴とするＴＶシステム。
【請求項９】
画像を表示する方法であって、画像および制御データを表わす信号を受信して復号する段階を含み、当該制御データは前記画像内の重要な対象の区切りの位置を示すベクトルを定義するところの方法において、
前記制御データは、前記重要な対象の前記区切りのサイズをさらに定義し、
再サンプリングされた画像における前記重要な対象の前記区切りの前記サイズが、個々の基準に従って表示装置のスクリーンの所定のサイズに適合するように、受信側で決定される変動可能な再サンプリング率で、前記復号された画像を再サンプリングすることによって、前記復号された画像から前記表示装置の前記スクリーン上に表示される当該再サンプリングされた画像が抽出されることを特徴とする方法。
【発明の詳細な説明】
【０００１】
本発明は、画像と制御データを表す信号を受信し、復号する復号部を有する受信機に関する。制御データは、画像内の重要な対象・内容・題目（ｓｕｂｊｅｃｔ  ｍａｔｔｅｒ）の区切り・区分（ｐａｒｔｉｔｉｏｎ）の位置を示すベクトルを定義する。
【０００２】
また、本発明は、ＴＶ受信機、表示装置とＴＶ受信機を有する画像表示装置、  および、画像表示装置とＴＶ信号を画像表示装置に放送する放送部とを有するＴＶシステムに関する。さらに、本発明は、画像表示装置を動作させる方法に関する。
【０００３】
新たなディジタルテレビ規格・基準の導入により、アスペクト比の混合（例えば、４：３と１６：９）と、画像サイズのための解像度の混合（例えば、標準定義テレビＳＤＴＶ（Ｓｔａｎｄａｒｄ  Ｄｅｆｉｎｉｔｉｏｎ  Ｔｌｅｖｉｓｉｏｎ）＝７２０×４８０、高定義テレビＨＤＴＶ（Ｈｉｇｈ  Ｄｅｆｉｎｉｔｉｏｎ  Ｔｅｌｅｖｉｓｉｏｎ）＝１２８０×７２０または１９２０×１０８０）が存在する。結果として、異なる送信（放送される画像の異なるタイプ）は、画像表示装置の異なるタイプと互換性があるようにされなければならない。即ち、画像の解像度やアスペクト比は、受信する画像装置のアスペクト比と解像度に適合させられなければならない。
【０００４】
解像度を適合させるための図５に示されたようなＴＶシステムは、当該技術分野で知られている。このＴＶシステムは、ＴＶ信号を画像表示装置２００に放送する放送部１００を有している。ＴＶ信号は、画像データと制御データを含む。要求される解像度の適合を達成させるために、制御データは、特に、受信側で再サンプリングを行うための所定の再サンプリング率を定義する。画像の再サンプリングは、全体の画像のサイズの減少または増加に対応する。図６によると、画像表示装置２００は、ＴＶ受信機２２０と表示装置２５０を有している。ＴＶ受信機は、放送されたＴＶ信号を受信して復号する復号部２２２と、復号部２２２が出力した復号されたＴＶ信号を再サンプリングする再サンプリング部２２４とを有する。この再サンプリングは、放送部１００が予め定義した制御データ中の再サンプリング率で行われる。そのようなサンプリング部は、例えば、ＷＯ９８／１９３９６から知ることができる。そのようなＴＶシステムと、特に、そのような受信機は、“ＡＴＳＣディジタルテレビ規格・基準の使用ガイド”（ｈｔｔｐ：／／ｗｗｗ．ａｔｓｃ．ｏｒｇ／ｓｔａｎｄａｒｄｓ／ｓｔａｎ＿ｒｐｓ．ｈｔｍｌで公開された、頁１２６から１２７、段落１０．４．１、Ａ／５４）に提案されている。
【０００５】
再サンプリング部２２４が出力したような結果としての再サンプリングされた画像は、表示装置２５０のスクリーンで表示されるために表示装置２５０に入力され、表示装置２５０の要求解像度または画像サイズと合わせられる。しかしながら、不都合にも、再サンプリング動作のために、特に、ダウンサンプリング動作のために、細部が再サンプリングされた画像において失われ、ユーザーが、再サンプリングされた画像を見て番組を楽しむことができないかもしれない。
【０００６】
アスペクト比を適合させるために、パン＆スキャン（ｐａｎ＆ｓｃａｎ）動作・操作が、例えば、ＷＯ９７／２７７０４によって、当該技術分野で知られている。この国際特許出願は、画像内の重要な対象の区切りの位置を示すベクトルを定義する制御データが、ＴＶ信号の形式で画像データと共にＴＶ受信機に放送されることを教示している。パン＆スキャン動作を実行するために、即ち、オリジナル画像の芸術的価値を意図される表示フォーマットの制限内で維持するために、この位置情報は、（操作者の制御の元で）放送部によって決定される。パン＆スキャンの場合には、実際のスクリーンサイズは、対象の区切りよりも大きい。このように全体の区切りは、スクリーンのサイズを減少させないで、スクリーン上に表される。少なくとも１つの方向で、オリジナル画像のより重要でない環境（画像の重要な対象以外）の部分も、スクリーン上で表されることが可能である。これは、図７に示されている。図７の左側には、放送部に放送されたようなＨＤＴＶ画像が示されており、図７の右側には、パン＆スキャン動作後のＥＤＴＶ（高解像度ＴＶ）画像表示装置上で表示されているような対応する画像が示されている。重要な対象の楕円形の区切りは、サイズが減少することなくＥＤＴＶスクリーン上で表されることが可能である。
【０００７】
本発明の目的は、ＷＯ９７／２７７０４から始めて、既知の受信機、ＴＶ受信機、画像表示装置およびＴＶシステムを改善することである。また、本発明の目的は、たとえスクリーンのサイズが、区切りのサイズよりも小さくても、少なくとも、放送されたオリジナル画像内の重要な対象の予め定められた区切りが、詳細・細部の最小の損失だけでスクリーン上で表されるように、画像を表示する方法に関する。
【０００８】
この目的は、請求項１に記載された受信機によって解決可能である。特に、知られている受信機と対照的に、制御データが、対象を示す区切りのサイズをさらに定義し、受信機の再サンプリング部が、受信側で定義される変動可能な再サンプリング率で、復号された画像を再サンプリングすることによって、復号された画像から表示装置のスクリーンに表示される再サンプリングされた画像を抽出するように構成されることによって本発明の目的を達成することが可能である。
【０００９】
放送部が与える所定の再サンプリング率とは対照的に、前記の特許請求の範囲に記載された受信側において変動可能な再サンプリング率によって、有益にできる限り詳細が、表示される画像内に残るように、画像のサイズの個々の適合、特に、表示される区切りのスクリーンの実際のサイズへの適合が可能になる。
【００１０】
本発明によると、重要な対象の区切りは、位置ベクトル（２つの自由度）によって、および、例えば、区切りの端の座標、即ち、矩形の区切りの左の上端の画素と右の下端の画素を表わす追加のサイズデータによって定義される。結果として、本発明によると、区切りは、少なくとも４つの自由度によって定義される。
【００１１】
受信機と表示装置は、別々の・分離した装置であってもよい。特に、ＴＶ受信機は、セットトップボックス（ｓｅｔ−ｔｏｐ  ｂｏｘ）と呼ばれる。
【００１２】
単語“再サンプリング”は、ダウンサンプリングとアップサンプリング（ｄｏｗｎ−  ａｎｄ  ｕｐ−ｓａｍｐｌｉｎｇ）を含む。ダウンサンプリングは、画像のサイズまたは画像の区切りのサイズの減少を意味し、アップサンプリングは、画像のサイズまたは画像の区切りのサイズの増加を意味する。
【００１３】
有益にも、特許請求の範囲に記載された受信機は、再サンプリング部によって、再サンプリングされた画像における重要な対象の区切りのサイズが、所定の基準に適合させられ、全体の画像または重要な対象の少なくとも全体の区切りが、表示装置のスクリーン上に表わされるように、受信した画像を処理することができる。
【００１４】
結果として、たとえスクリーンの所定のサイズが、同報通信・放送（ｂｒｏａｄｃａｓｔ）されたオリジナル画像内の重要な対象の区切りのサイズよりも小さくとも、基準が定義されていれば、区切りのいかなる部分も破棄されず、全体の区切りがスクリーン上に表示されてよい。
【００１５】
１つの好適実施形態によると、受信機は、受信され復号された画像の部分を破棄する破棄部を有する。この破棄部の動作は、放送された画像の異なるアスペクト比を表示装置に適合させるために、パン＆スキャン動作に対応する。アスペクト比の適合は、画像がスクリーンに表示されるときに、いくつかの部分、特に、水平バー（ｈｏｒｉｚｏｎｔａｌ  ｂａｒｓ）がブラックのままである場合を含む。
【００１６】
対応する請求項によると、破棄部は、好ましくは、復号部と再サンプリング部との間に接続されるが、代替的には、破棄部は再サンプリング部の後ろに・後に（ｂｅｈｉｎｄ）接続されてよい。破棄動作と再サンプリング動作の提案された組み合わせは、２つの極端な場合を含む。この１つの極端な場合では、破棄動作だけが、放送され受信された画像に適用される。もう１つの極端な場合には、再サンプリング動作だけが、放送され受信された画像に適用させられる。しかしながら、通常は、画像、特に、重要な情報の区切りが、望まれる詳細ができる限り維持されるように、必要な程度だけ縮小させられる方法で、前記両方の動作の組み合わせが放送され受信された画像に適用される。
【００１７】
特に、基準を定義する受信機のさらなる有益な実施形態が、従属する請求項で与えられる。
【００１８】
本発明の目的は、さらに、請求項６のＴＶ受信機によって、請求項７の画像表示装置によって、請求項８のＴＶシステムによって、および、請求項９の画像を表示する方法によって達成される。上述した本発明の利点は、このように適用される。
【００１９】
以下で、図１から図４を参照して本発明を説明する。
【００２０】
本発明は、実質的に図５を参照して上述したＴＶシステムに対応・言及する。しかしながら、当該技術分野で知られているＴＶシステムとの相違において、同胞送信部１００から画像表示装置２００へ放送されるＴＶ信号内に含まれる本発明に従った制御データは、放送された画像内の重要な対象の区切りの位置を示すベクトルを定義するだけでなく、区切りのサイズも定義する。本発明に従った制御データは、再サンプリング率についての情報を含まない。
【００２１】
図１は、本発明に従ったＴＶ受信機２２０および表示装置２５０を有する画像表示装置２００を示している。表示装置は、スクリーンを見ているユーザーに対して画像を表示するスクリーン２５５を有している。
【００２２】
図２は、本発明によるＴＶ受信機の第１の好適実施形態を示している。受信機２２０のハードウェアは、実質的に、図５を参照して上述した先行技術で知られているＴＶ受信機のハードウェアに対応する。しかしながら、既知のＴＶ受信機と対比すると、ＴＶ受信機２２０と、特に、本発明に従った再サンプリング部は、上述した本発明に従った制御データを評価する。特に、再サンプリング部２２４は、表示装置２５０のスクリーン上に表示される再サンプリング画像を、復号部２２２が出力した復号された画像から抽出するように適合・構成される。この抽出は、受信側で定義された変動可能再サンプリング率で復号された画像を、好ましくは再サンプリング２２４部において、再サンプリングすることのよって行われる。この抽出は、再サンプリングされた画像における重要な対象の区切りのサイズが基準に従って適合させられるように行われる。例えば、この基準によると、スクリーン２５５の所定のサイズが、十分大きい場合には、重要な対象の全体的な区切りが、受信され復号された画像において与えられるオリジナルサイズで、表示装置２５０の所定のスクリーン２５５で表示されるように、変動可能な再サンプリング率が定義・決定される。
【００２３】
代替的には、前記基準によると、スクリーン２５５の所定のサイズが重要な対象の区切りのオリジナルサイズより小さい場合には、区切りのサイズが、復号された画像を適切な再サンプリング率で再サンプリングすることによって、スクリーン上で全体的に表示されるのに必要なサイズより小さいサイズに減少されられるように、変動可能な再サンプリング率が定義される。結果として、区切りの最大限の詳細をスクリーン上に表示することが可能である。このように、本発明は、全体の画像のサイズが送信側で予め定義された再サンプリング率に応答して減少させられる先行技術と相違する。
【００２４】
本発明によると、再サンプリング率が、区切りの実際のサイズとスクリーン２５５の所定のサイズに関して、変動可能に定義・決定されるだけでなく、スクリーン上の画像を見ているユーザーによって操作されてよい。再サンプリング部２２４は、通常、例えば、受信したＨＤＴＶ画像を、ＥＤＴＶまたはＳＤＴＶ表示装置のスクリーンの要求サイズへダウンサンプリングすることによって、重要な対象の区切りのサイズの適合を実行する。しかしながら、そのようなダウンサンプリングされた画像は、ユーザーにとって適切ではないかもしれない。このように、スクリーン上に表示されるサンプリングされた画像が、スクリーンを見るときのユーザーの個々の見る角度および／またはユーザーの個々の視力に適合するように、変動可能な再サンプリング率を操作するためのユーザーからの制御信号を受信する再サンプリング部２２４が構成される。
【００２５】
図３は、本発明に従ったＴＶ受信機２２０’の第２の好適実施形態を示している。この第２の実施形態は、破棄部２２３が復号部と再サンプリング部２２４との間に接続されていることのみにおいて図２に示されたＴＶ受信機２２０の第１の実施形態と異なる。この廃棄部２２３は、受信された画像内の重要な対象の区切りが、受信された画像における場合と同様な位置で残りの画像内に位置するように、受信され復号された制御データに応答して受信され復号された画像の部分を捨てる・廃棄する。廃棄部２２３の動作は、実質的に、パン＆スキャン動作に対応する。この残りの画像は、廃棄部２２３によって出力され、再サンプリング部に入力され、その画像フォーマットが、再サンプリング動作によってスクリーン２５５の所定のフォーマットに適合させられる。
【００２６】
スクリーン上で表示される適切な画像を得るために、制御データを操作し、このように画像の処理を制御するために、再サンプリング２２４だけでなく廃棄部２２３へ制御信号を与えてよい。
【００２７】
本発明に従ったＴＶ受信機２２０、２２０’の２つの実施形態を図４を参照してより詳しく説明する。図４の縦列のそれぞれに、３種類のテレビ表示スクリーンが示されている。例えば、左側に、１９２０×１０８０、１６：９のＨＤＴＶスクリーンが、真ん中に、１２８０×７２０、１６：９のＥＤＴＶスクリーンが、右側に６４０×４８０、４：３のＳＤＴＶが示されている。画像は、常に、ＨＤＴＶフォーマットで作成されると仮定する。ＨＤＴＶフォーマットの場合には、利用可能な画素座標は、（１，１）から（１９２０，１０８０）まで変化する。作成されたＨＤＴＶ画像は、より小さいサイズのＥＤＴＶまたはＳＤＴＶスクリーンへ送信される。
【００２８】
図４において、左から右へ３つのスクリーンサイズが示されており、上から下へ４つのシーン・背景・画像（ｓｃｅｎｅ）が示されている。すべての１２の状況が、同一の縮尺・倍率（ｓｃａｌｅ）で描写されている。重要な対象の区切りは、楕円として描かれている。指示を容易にするために、区切りは、以下においてフレーム矩形の座標によって言及される。フレーム矩形の座標は、放送部が与える制御データの１部である。より重要でない環境は、楕円の周りまたはフレーム矩形の周りの画像範囲である。
【００２９】
各縦のラインに関して、区切りよりも大きい画像内の重要な対象の当該区切りの位置および／またはサイズは、異なっている。全体の画像内の重要な対象の最適な区切りを各シーン・背景に関して決定する操作者または自動機械が、放送部の側に存在すると仮定する。実際には、区切りのサイズは、画像と区切りが表示される表示装置のスクリーンの所定のサイズよりも大きくはないであろう。特に、区切りがＨＤＴＶフォーマットで作成され、ＳＤＴＶスクリーン上で表示あれる場合には、区切りのサイズは、好ましくは、ＳＤＴＶスクリーンの実際のサイズよりも大きくなるようには選択されない。
【００３０】
操作者を、ＨＴＤＶカメラによって捕獲された画像の範囲内で動作する実際のＳＤＴＶカメラとして想像することができる。操作者（ＳＤＴＶカメラ）は、最も重要な対象だけを選択しようとする。重要な対象の区切りのサイズと位置は、フレーム矩形の左上の隅・角と右下の隅・角の座標によって示されることが可能である。これらの座標は、制御データとしてＴＶ受信機へ送信される。例えば、区切りの位置または角は、およそ座標（７２０，４５０）＝（３／８，４／８）であり、区切りのサイズは、次の例のように変化してよい。
【００３１】
シーン１（非常に大きな対象）：対象のサイズが１４４０×１０８０、矩形が（１，１）−（１４４０、１０８０）である。
【００３２】
シーン２（中程度に大きい対象）：対象サイズは、９６０×７２０であり、矩形は（２４１，１８１）−（１２００，９００）である。
【００３３】
シーン３（中間程度に小さい対象）：対象サイズは６４０×４８０であり、矩形は（４０１，３０１）−（１０４０，７８０）である。
【００３４】
シーン４（非常に小さい対象）：対象サイズが４８０×３６０であり、矩形が（４８１，３６１）−（９６０，７２０）である。
【００３５】
実際のスクリーンサイズが、重要な対象の矩形よりも大きい場合には、全体の対象は、対象のサイズを減少させることなく表わすことが可能であり、少なくとも１つ方向において、より重要でない環境の部分を表わすことが可能である。これは、パン＆スキャンの場合である。
【００３６】
実際のスクリーンのサイズが、重要な対象の区切りの矩形よりも小さい場合には、全体の重要な対象は、この対象のサイズを減少させることによってのみ表わされることが可能であり、少なくとも１つの方向において、対象の環境を表わすことができない場合がある。これは、再サンプリング（特に、ダウンサンプリング／より低い解像度）の場合である。
【００３７】
両方の場合が図４に示されている。また、両方の場合が、数字として次の４つの表に示されている。
【００３８】
【表１】
2004531968.tif 000003
【００３９】
【表２】
2004531968.tif 000004
【００４０】
【表３】
2004531968.tif 000005
【００４１】
【表４】
2004531968.tif 000006
（より小さいスクリーンサイズに従って、重要な対象の区切りは、表示の座標で表現されている。しばしば、環境を示すために、いくらかの余地・余裕が残される。
【００４２】
本発明に従った（変動可能な）ダウンサンプリング率は、重要な対象の（変動可能な）サイズと（所定の）実際のスクリーンのサイズによって決定される。これによって、（所定の）再サンプリング率が、全体の送信された画像の（所定の）サイズと（所定の）実際のスクリーンのサイズによって決定されるＡＴＳＣの標準の場合よりも好ましい再サンプリング率（１／１．００に近い）が得られる。好ましい再サンプリング率は、詳細・細部が表示される画像に残されるという利点を持つ。
【００４３】
図４は、必ずしも常に全体の背景が示されないことを示している。なぜならば、画像の変動可能な再サンプリング率は、しばしば、画像サイズに対するスクリーンサイズの率よりも大きいからである。図４ｂ、４ｃおよび４ｆにおいてのみ、画像サイズが減少させられなければならない。図４ａ、４ｄ、４ｇおよび４ｊに示されている平凡な場合は考慮されない。なぜならば、ＨＤＴＶ表示サイズは、ＨＤＴＶ画像サイズと等しいからである。ＨＤＴＶよりも小さい２つの他の表示サイズＥＤＴＶとＳＤＴＶに関して、重要な対象の細部・詳細が保存されることが可能である。
【００４４】
本発明は、放送されたＴＶ信号を受信するＴＶ受信機としての実施形態によって上記の図面で説明された。しかしながら、本発明は、画像が発信元から表示のために画像を処理する目的地の装置へ送信される他のシステムにおいて適用可能である。これらの場合においても、信号は、画像データに加えて制御データを含むことが可能である。これによって、制御データは、重要な対象を持つ区切りのサイズを定義・決定することができる。そのような他のシステムの例は、ストリーミングビデオ・映像（ｓｔｒｅａｉｎｇ  ｖｉｄｅｏ）の形で画像をインターネットによって遠隔ステーションへ送信するサーバーである。この遠隔ステーションもインターネットに接続されている。
【図面の簡単な説明】
【００４５】
【図１】画像表示装置を示している。
【図２】本発明によるＴＶ受信機の第１の好適実施形態を示している。
【図３】本発明によるＴＶ受信機の第２の好適実施形態を示している。
【図４】本発明によるＴＶ受信機の第１と第２の実施形態の動作を図で表わしている。
【図５】当該技術分野で知られているＴＶシステムを示している。
【図６】当該技術分野で知られているＴＶ受信機を示している。
【図７】当該技術分野で知られているようなパン＆スキャン動作を図で表わしている。
【図２】
2004531968.tif 000007
【図３】
2004531968.tif 000008
【図４】
2004531968.tif 000009
【図５】
2004531968.tif 000010
【図６】
2004531968.tif 000011
【図７】
2004531968.tif 000012
【国際公開パンフレット】
2004531968.tif 000013
2004531968.tif 000014
2004531968.tif 000015
2004531968.tif 000016
2004531968.tif 000017
2004531968.tif 000018
2004531968.tif 000019
2004531968.tif 000020
2004531968.tif 000021
2004531968.tif 000022
2004531968.tif 000023
2004531968.tif 000024
2004531968.tif 000025
2004531968.tif 000026
2004531968.tif 000027
2004531968.tif 000028
【国際調査報告】
2004531968.tif 000029
2004531968.tif 000030